(57)【要約】      （修正有）【課題】持ち運びが簡単な折りたたみ構造を有して、組み立てが簡単である折り畳み式担架を提供する。【解決手段】折り畳み式担架１において、保持フレーム３、４のそれぞれは、中央に位置する中央関節部３０、４０と、該中央関節部３０、４０の両側に位置する第１及び第２の外側関節部３３、４３、３４、４４と、前記中央関節部３０、４０及び第１の外側関節部３３、４３の間に配される第１の中央フレーム３１、４１と、前記中央関節部３０、４０及び第２の外側関節部３４、４４の間に配される第２の中央フレーム３２、４２と、該第１及び第２の外側関節部３３、４３、３４、４４の外側に連結される第１及び第２の外側フレーム３５、４５、３６、４６と、一対の保持フレーム３、４を、布状シート２の収縮力に抗して所定の間隔に固定するテンション機構５、６を具備するものである。【選択図】図１
0003223253.tif 000002
【実用新案登録請求の範囲】
【請求項１】
上面に被搬送者が載せられる布状シートと、布状シートの長手方向に沿った両側を支持する一対の保持フレームとによって構成される担架において、
前記保持フレームは、それぞれに、中央に位置する中央関節部と、該中央関節部の両側に位置し、その一端が中央関節部に接続される第１の長さを有する第１及び第２の中央フレームと、該第１及び第２の中央フレームの他端のそれぞれに接続される第１及び第２の外側関節部と、該第１及び第２の外側関節部の外側に接続され、前記第1の長さよりも短い第２の長さを有する第１及び第２の外側フレームとによって構成され、前記中央関節部、第１及び第２の外側関節部は、それぞれ第１及び第２の中央フレーム、第１及び第２の外側フレームを担架の裏側に向けて屈曲自在であること、
前記一対の保持フレームを、前記布状シートの収縮力に抗して所定の間隔に固定するテンション機構が、前記第１及び第２の外側関節部のそれぞれの外側近傍に設けられることを特徴とする担架。
【請求項２】
前記第１及び第２の外側関節部は、前記第１及び第２の外側フレームを担架の裏側方向に第１及び第２の中央フレームに重なるように折り曲げ可能であり、前記中央関節部は折り曲げられて前記第１及び第２の中央フレームに重なった第１及び第２の外側フレームが対向するように担架の裏側方向に所定の間隔で折り曲げられることを特徴とする請求項１記載の担架。
【請求項３】
前記布状シートは、前記第１及び第２の外側関節部と、前記中央関節部の間に位置する２カ所に、被搬送者を固定するための固定ベルトが一体に設けられることを特徴とする請求項１又は２記載の担架。
【請求項４】
前記第１及び第２の外側フレームの外側端部にはそれぞれの把手部が設けられ、それぞれの把手部の近傍には、担架を支持するための脚部が設けられていることを特徴とする請求項１〜３のいずれか１つに記載の担架。
【考案の詳細な説明】
【技術分野】
【０００１】
本考案は、バックやリュックに収納可能な状態に折りたため、持ち運びが簡単な折りたたみ式担架に関する。
【背景技術】
【０００２】
特許文献１（実用新案登録第３２１３２８２号）は、階段などの急な傾斜があるところでも被搬送者を運びやすく利便性のある担架を提供する。ここで開示される担架は、２本の棒の間に被搬送者を乗せるためのシート状部材を張って構成され、シー地上部材の幅方向の両側部は、２本の棒に連結しており、シート状部材の長さ方向の両端部の相対距離が変わることにより、シート状部材が緊張してベッド状になる第１状態と、シート状部材が緩んで臀部を収容するための臀部収容部を形成する第２状態とに変形可能であることを特徴とするものである。
【０００３】
特許文献２（特開２０１９−４２４４９号公報）に開示されるＰＡ連携用布担架は、従来の長方形の布に片側３カ所、両側で合計６カ所に取っ手が一つずつ配置されているだけであったが、本体に取り付けられている６カ所の取っ手部へもう一つずつ取っ手を設けたものである。これによって、搬送員同士が布担架の取っ手をスムーズに持ち替えることができるようになるものである。
【０００４】
特許文献３（特開２０１９−８４１３５号公報）に開示される担架は、略矩形の布状体と、この布状体の側部に横方向に引っ張り支持可能に取り付けられた複数の取っ手と、前記布状体の四隅を含む側部に取り付けられた複数の環状部と、これら環状部内に長手方向に移動可能な状態で挿通された環状ベルトを備えるもので、この構成の担架を用いて、布状体の上に要救護者を載せた状態で、要救護者を中心に相対して立つ救護者が環状ベルトを肩から斜めにかけることにより、環状ベルトおよび環状部を介して布状体を引き上げることができるので、要救護者を布状体によって包み込むように支持して搬送することができる。
【先行技術文献】
【特許文献】
【０００５】
【特許文献１】実用新案登録第３２１３２８２号
【特許文献２】特開２０１９−４２４４９号公報
【特許文献３】特開２０１９−８４１３５号公報
【考案の概要】
【考案が解決しようとする課題】
【０００６】
上述した特許文献で示されているように、被搬送者を傾斜の急な場所から搬送したり、狭い場所を搬送したりするための担架については、いろいろな発明／考案がなされてきたが、通常、担架は、人混みの中や、急な山道など、担架を現場まで運ぶことは非常に困難であったにもかかわらず、担架を現場まで運びやすくすることについてはあまり検討がなされなかった。
【０００７】
このため、本考案は、持ち運びが簡単な折りたたみ構造を有するとともに組み立てが簡単である折りたたみ式担架を提供することにある。
【課題を解決するための手段】
【０００８】
したがって、本考案は、上面に被搬送者が載せられる布状シートと、布状シートの長手方向に沿った両側を支持する一対の保持フレームとによって構成される担架において、前記保持フレームは、それぞれに、中央に位置する中央関節部と、該中央関節部の両側に位置し、その一端が中央関節部に接続される第１の長さを有する第１及び第２の中央フレームと、該第１及び第２の中央フレームの他端のそれぞれに接続される第１及び第２の外側関節部と、該第１及び第２の外側関節部の外側に連結され、前記第１の長さよりも短い第２の長さを有する第１及び第２の外側フレームとによって構成され、前記中央関節部、第１及び第２の外側関節部は、それぞれ第１及び第２の中央フレーム、第１及び第２の外側フレームを担架の裏側に向けて屈曲自在であること、及び、前記一対の保持フレームを、前記布状シートの収縮力に抗して所定の間隔に固定するテンション機構が、前記第１及び第２の外側関節部のそれぞれの外側近傍に設けられることにある。
【０００９】
また、前記中央関節部、第１及び第２の外側関節部は、担架の裏側方向には屈曲自在であるが、担架の表側方向には屈曲しない構造を有するものである。
【００１０】
さらに、前記テンション機構は、前記第１及び第２の外側フレームに一端が回転自在に固定される前記第１及び第２の外側フレームに沿って延出する一対の固定アーム部と、それぞれ斜めに配置された固定アーム部の他端を連結し、前記固定アーム部を押し込むことによって前記一対の保持フレームを開く方向に付勢する押し込みプレート部とによって構成されることが望ましい。また、押し込みプレート部を第１及び第２の外側関節部側に押し込みことによって、傾斜して配された一対の固定アーム部が押し開かれ、一対の保持フレームが布状シートの収縮力に抗して一定の間隔に保持されるものである。
【００１１】
これによって、中央関節部、第１及び第２の外側関節部によって、前記保持フレームを構成する第１及び第２の中央フレーム並びに第１及び第２の外側フレームを、担架の裏側方向に曲げることができるので、担架を折りたたむことが可能となるものである。
【００１２】
また、担架の組み立ては、前記中央関節部を中心として、重なった第１及び第２の中央フレーム並びに第１及び第２の外側フレームを開き、そして第１及びだ２位の外側関節部を中心として、第１及び第２の外側フレームを開く。このとき、第１及び第２の外側フレームが９０°開いて起立させることで、前記押し込みプレートの押し込み方向を下方にすることができ、これにより押し込みプレートの押し込みを体重をかけて行うことができるため、布状シートの幅方向の張り込みを効率的に行うことができるようになるものである。そして、押し込みプレートによって一対の保持フレームを所定の幅に拡げた後、第１及び第２の外側フレームを１８０°開いた後、担架を表側にひっくり返すことよって、中央関節部、第１及び第２の外側関節部によって、第１及び第２の中央フレーム並びに第１及び第２の外側フレームが一直線に固定されるものである。
【００１３】
さらに、前記第１及び第２の外側関節部は、前記第１及び第２の外側フレームを担架の裏側方向に第１及び第２の中央フレームに重なるように折り曲げ可能であり、前記中央関節部は折り曲げられて前記第１及び第２の中央フレームに重なった第１及び第２の外側フレームが対向するように担架の裏側方向に所定の間隔で折り曲げられることが望ましい。
【００１４】
これによって、担架を裏返しにし、第１及び第２の外側関節部を介して前記第１及び第２の外側フレームを第１及び第２の中央フレーム側に折り曲げ、さらにこの折り曲げられたものを、中央関節部を介してさらに内側に折り曲げることによって、担架を四つ折りにすることが可能となるものである。この四つ折りにされた担架は、リュックやバック等に収納可能であるため、担架の持ち運びが容易となるものである。
【００１５】
さらにまた、前記布状シートは、前記第１及び第２の外側関節部と、前記中央関節部の間に位置する２カ所に、被搬送者を固定するための固定ベルトが一体に設けられることが望ましい。
【００１６】
これによって、被搬送者を担架に載せた後、布状シートに固定された固定ベルトによって、被搬送者を固定できるため、被験者の固定を確実に且つ簡易に固定することが可能となるものである。
【００１７】
また、前記第１及び第２の外側フレームの外側端部にはそれぞれの把手部が設けられ、それぞれの把手部の近傍には、担架を支持するための脚部が設けられていることが望ましい。
【００１８】
これによって保持フレームを持ち上げるための把手部近傍に設けられた脚部によって、担架が支えられていることから、被験者を搬送する時に、把手部を持ちやすくなるものである。
【考案の効果】
【００１９】
本考案によれば、中央関節部、第１及び第２の外側関節部を介して担架を四つ折りにすることができるので、リュックやバックに収納して現場まで容易に持ち運ぶことが可能となるものである。
【００２０】
さらに、担架の組み立て時において、第１及び第２の外側フレーム部を前記第１及び第２の外側関節部を介して９０°開いて起立させ、テンション機構の押し込みプレートを下方に押し込むことによって前記保持フレームを布状シートの収縮力に抗して幅方向に押し広げることができるため、担架の組み立てを容易に行うことが可能となるものである。
【図面の簡単な説明】
【００２１】
【図１】図１は、本考案にかかる担架の平面図である。
【図２】図２（ａ）は、本考案にかかる担架のフレームの平面図であり、（ｂ）は側面図である。
【図３】図３は、本考案にかかる担架の底面図である。
【図４】図４は、本考案にかかる担架の布状シートの平面図である。
【図５】図５は、本考案にかかる担架のテンション機構の説明図であり、（ａ）はテンション前の状態を示した説明図、（ｂ）はテンション後の状態を示した説明図である。
【図６】図６は、本考案にかかる担架の折り畳み状態を示した説明図であり、（ａ）はテンション機構を操作する状態を示した説明図、（ｂ）は、1段階の折り畳み状態を示した説明図、（ｃ）は４つに折りたたんだ状態を示した説明図である。
【考案を実施するための形態】
【００２２】
以下、この考案の実施の形態を図面に基づいて説明する。
【実施例】
【００２３】
図1に示すように、本考案にかかる担架１は、被搬送者を載せるための布状シート２と、この布状シート２を長手方向に沿った両側で支持する第１及び第２の保持フレーム３，４とによって構成される。尚、前記布状シート２は、所定の弾性力を有し、準防炎性の素材や防水ＰＶＣ繊維補強シートで形成されることが望ましく、さらに抗菌性を有することが望ましい。また、第１及び第２の保持フレーム３，４は、この実施例では、強化アルミによって形成されるが、炭素繊維等を使用した軽量の材料で、所定の強度を有するものであれば材質は限定されるものではない。
【００２４】
前記第１の保持フレーム３は、たとえば図１乃至図３に示すように、中央に位置する中央関節部３０と、この中央関節部３０の両側に位置し、その一端が中央関節部３０に接続される第１の長さを有する第１及び第２の中央フレーム３１，３２と、これら第１及び第２の中央フレーム３１，３２の他端のそれぞれに接続される第１及び第２の外側関節部３３，３４と、これら第１及び第２の外側関節部３３，３４の外側に接続され、前記第１の長さよりも短い第２の長さを有する第１及び第２の外側フレーム３５，３６とによって構成される。尚、第１及び第２の外側フレーム３５，３６，４５，４６の外側端部には、把手部３７，３８，４７，４８が設けられ、把手部３７，３８，４７，４８の中央側には、脚部３９ａ，３９ｂ，４９ａ，４９ｂが設けられるものである。
【００２５】
前記第１の保持フレーム３において、前記中央関節部３０、第１及び第２の外側関節部３３，３４は、担架１の裏側方向には屈曲自在であるが、担架１の表側方向には屈曲しない構造を有するものである。具体的には、前記第１の保持フレーム３の中央関節部３０は、その両端近傍で第１の中央フレーム３１の一端及び第１の中央フレーム３１の一端を回転自在に保持する中央保持金具３０ａを具備する。前記中央保持金具３０ａは、その両端に、担架１の裏側方向に９０°回転された前記第１及び第２の中央フレーム３１，３２を保持するための切り込み部３０ｂ，３０ｃが形成され、これによって、中央保持金具３０ａの両側の切り込み部３０ｂ，３０ｃの端部に前記第１及び第２の中央フレーム３１，３２が当接して保持されるものである。
【００２６】
また、前記第１の保持フレーム３の第１の外側関節部３３は、前記第１の中央フレーム３１及び第１の外側フレーム３５のそれぞれ一端を回転自在に保持する第１の外側保持金具３３ａを具備する。前記第１の外側保持金具３３ａは、その両端に、担架１の裏側方向に９０°回転された前記第１の中央フレーム３１及び第１の外側フレーム３５のそれぞれを保持するための切り込み部３３ｂ，３３ｃが形成され、これによって、第１の外側保持金具３３ａの両側の切り込み部３３ｂ，３３ｃの端部に前記第１の中央フレーム３１及び第１の外側フレーム３５が当接して保持されるものである。同様に、前記第１の保持フレーム３の第２の外側関節部３４は、前記第２の中央フレーム３２及び第２の外側フレーム３６のそれぞれ一端を回転自在に保持する第２の外側保持金具３４ａを具備する。前記第２の外側保持金具３４ａは、その両端に、担架１の裏側方向に９０°回転された前記第２の中央フレーム３２及び第２の外側フレーム３６のそれぞれを保持するための切り込み部３４ｂ，３４ｃが形成され、これによって、第１の外側保持金具３４ａの両側の切り込み部３４ｂ，３４ｃの端部に前記第２の中央フレーム３２及び第２の外側フレーム３６が当接して保持されるものである。
【００２７】
同様に、前記第２の保持フレーム４において、前記中央関節部４０、第１及び第２の外側関節部４３，４４は、担架１の裏側方向には屈曲自在であるが、担架１の表側方向には屈曲しない構造を有するものである。具体的には、前記第２の保持フレーム４の中央関節部４０は、その両端近傍で第１の中央フレーム４１の一端及び第２の中央フレーム４２の一端を回転自在に保持する中央保持金具４０ａを具備する。前記中央保持金具４０ａは、その両端に、担架１の裏側方向に９０°回転された前記第１及び第２の中央フレーム４１，４２を保持するための切り込み部４０ｂ，４０ｃが形成され、これによって、中央保持金具４０ａの両側の切り込み部４０ｂ，４０ｃの端部に前記第１及び第２の中央フレーム４１，４２が当接して保持されるものである。
【００２８】
また、前記第２の保持フレーム４の第１の外側関節部４３は、前記第１の中央フレーム４１及び第１の外側フレーム４５のそれぞれ一端を回転自在に保持する第１の外側保持金具４３ａを具備する。前記第１の外側保持金具４３ａは、その両端に、担架１の裏側方向に９０°回転された前記第１の中央フレーム４１及び第１の外側フレーム４５のそれぞれを保持するための切り込み部４３ｂ，４３ｃが形成され、これによって、第１の外側保持金具４３ａの両側の切り込み部４３ｂ，４３ｃの端部に前記第１の中央フレーム４１及び第１の外側フレーム４５が当接して保持されるものである。同様に、前記第２の保持フレーム４の第２の外側関節部４４は、前記第２の中央フレーム４２及び第２の外側フレーム４６のそれぞれ一端を回転自在に保持する第２の外側保持金具４４ａを具備する。前記第２の外側保持金具４４ａは、その両端に、担架１の裏側方向に９０°回転された前記第２の中央フレーム４２及び第２の外側フレーム４６のそれぞれを保持するための切り込み部４４ｂ，４４ｃが形成され、これによって、第２の外側保持金具４４ａの両側の切り込み部４４ｂ，４４ｃの端部に前記第２の中央フレーム４２及び第２の外側フレーム４６が当接して保持されるものである。
【００２９】
また、担架１には、前記第１及び第２の保持フレーム３，４を、前記布状シート２の収縮力に抗して所定の間隔に固定する第１及び第２のテンション機構５，６が設けられる。特に本考案によれば、第１のテンション機構５は、前記前記第１の保持フレーム３の第１の外側関節部３３及び第２の保持フレーム４の第１の外側関節部４３のそれぞれの外側（把手部側）近傍を橋架するように設けられ、第２のテンション機構６は、前記前記第１の保持フレーム３の第２の外側関節部３４及び第２の保持フレーム４の第２の外側関節部４４のそれぞれの外側（把手部側）近傍を橋架するように設けられる。
【００３０】
さらに、前記第１のテンション機構５は、たとえば図５（ａ），（ｂ）に示されるように、前記第１及び第２の保持フレーム３，４の第１の外側フレーム３５，４５のそれぞれに一端が回転自在に固定される前記第１及び第２の外側フレーム３５，４５に沿って斜めに延出する一対の固定アーム部５１，５２と、それぞれ斜めに配置された固定アーム部５１，５２の他端を連結し、前記固定アーム部５１，５２を押し込むことによって前記一対の保持フレーム３，４を開く方向に付勢する押し込みプレート部５０とによって構成される。同様に、前記第２のテンション機構６は、前記第１及び第２の保持フレーム３，４の第２の外側フレーム３６，４６のそれぞれに一端が回転自在に固定される前記第１及び第２の外側フレーム３６，４６に沿って斜めに延出する一対の固定アーム部６１，６２と、それぞれ斜めに配置された固定アーム部６１，６２の他端を連結し、前記固定アーム部６１，６２を押し込むことによって前記一対の保持フレーム３，４を開く方向に付勢する押し込みプレート部６０とによって構成される。
【００３１】
これによって、前記第１及び第２の外側フレーム３５，４５，３６，４６を起立させた状態で、前記第１及び第２のテンション機構５が垂直に位置することから、前記押し込みプレート部５０，６０を下方に押し込みことによって、傾斜して配された一対の固定アーム部５１，６１，５２，６２を押し開くことができるため、第１及び第２の保持フレーム３，４を布状シートの収縮力に抗して一定の間隔に拡げることができ、またその状態を保持することができるものである。
【００３２】
また、前記布状シート２は、図４に示すように、前記第１及び第２の保持フレーム３，４が挿通されるフレーム保持部２１，２２を長手方向の沿った両側に有し、前記中央関節部３０，４０、前記第１の外側関節部３３，４３及び前記第２の外側関節部３４，４４に対応する位置に形成された切欠部２３，２４を具備する。また、第１の中央フレーム３１，４１の中央近傍には、被搬送者を保持するために第１の保持ベルト２５が設けられ、さらに第２の中央フレーム３２，４２の中央近傍には、被搬送者を保持するために第２の保持ベルト２６が設けられる。これら第１及び第２の保持ベルト２５，２６は、それぞれ一対のベルト構成部品２５ａ，２５ｂ，２６ａ，２６ｂによって構成されており、それぞれのベルト構成部品２５ａ，２５ｂ，２６ａ，２６ｂの一端は前記布状シート２に一体に固定されている。また、それぞれのベルト構成部品２５ａ，２５ｂ，２６ａ，２６ｂの他端（中央側）は、連結部材によって着脱自在に連結されることが望ましく、さらに締まり具合を調整可能な構造を有するものであることが望ましい。
【００３３】
以上の構成の担架１は、通常、バックやリュック等の収納袋に収納されて保管され、必要時に現場に持ち運ばれる。従来の担架に比べて、本考案にかかる担架１は、コンパクトに収納できるため、現場までの搬送が容易であるため、大変便利である。
【００３４】
現場において、収納袋から出された担架１は、たとえば図６（ａ）で示すように、四つ折りの状態である。この状態からの担架１の組み立ては、前記中央関節部３０，４０を中心として、重なった第１及び第２の中央フレーム３１，４１，３２，４２並びに第１及び第２の外側フレーム３５，４５，３６，４６を開き（図６（ｂ））、そして第１及び第２の外側関節部３３，４３，３４，４４を中心として、第１及び第２の外側フレーム３５，４５，３６，４６を開く。このとき、図６（ｃ）で示すように、第１及び第２の外側フレーム３５，４５，３６，４６が９０°開いて起立することから、図５（ａ）に示すように、前記押し込みプレート５０，６０の押し込み方向を下方にすることができるので、押し込みプレート５０，６０の押し込みを体重をかけて行うことができるため、効率的に行うことができるようになるものである。そして、図５（ｂ）で示すように、押し込みプレート５０，６０によって一対の固定アーム部５１，５２，６１，６２を所定の幅に拡げた後、第１及び第２の外側フレーム３５，４５，３６，４６を１８０°開いた後、担架１を表側にひっくり返すことよって、中央関節部３０，４０、第１及び第２の外側関節部３３，４３，３４，４４によって、第１及び第２の中央フレーム３１，４１，３２，４２並びに第１及び第２の外側フレーム３５，４５，３６，４６が一直線に固定されるものである。これによって組み立てられた担架１に、被搬送者を載せて運ぶことができるものである。
【００３５】
搬送作業の終了後、前記担架１は、上述した組み立てと逆に作業することにより、担架１を四つ折りに折り畳むことによって図６（ａ）の状態にし、バックやリュック等の収納袋に収納して、持ち帰ることができるものである。
【００３６】
以上のように、本考案によれば、中央関節部３０，４０、第１及び第２の外側関節部３３，４３，３４，４４を介して担架１を四つ折りにすることができるので、リュックやバックに収納して現場まで容易に持ち運ぶことができるという効果を奏することができる。
【００３７】
さらに、担架の組み立て時において、第１及び第２の外側フレーム部３５，４５，３６，４６を前記第１及び第２の外側関節部３３，４３，３４，４４を介して９０°開いて起立させ、第１及び第２のテンション機構５，６の押し込みプレート５０，６０を下方に押し込むことによって前記保持フレーム３，４を布状シート２の収縮力に抗して幅方向に押し広げることができるため、担架１の組み立てを容易に行うことが可能となるものである。
【符号の説明】
【００３８】
１  担架
２  布状シート
３  第１の保持フレーム
４  第２の保持フレーム
５  第１のテンション機構
６  第２のテンション機構
３０，４０  第１の中央関節部
３１，４１  第１の中央フレーム
３２，４２  第２の中央フレーム
３３，４３  第１の外側関節部
３４，４４  第２の外側関節部
３５，４５  第１の外側フレーム
３６，４６  第２の外側フレーム
３７，３８，４７、４８  把手部
３９ａ，３９ｂ，４９ａ，４９ｂ  脚部
５０，６０  押し込みプレート
５１，６１，５２，６２  固定アーム部
【図１】
0003223253.tif 000003
【図２】
0003223253.tif 000004
【図３】
0003223253.tif 000005
【図４】
0003223253.tif 000006
【図５】
0003223253.tif 000007
【図６】
0003223253.tif 000008